(57)【要約】【課題】被収納物の出し入れが容易にでき、また、ポケット部材が開口状態であっても被収納物が脱落し難い収納ファイルを提供する。【解決手段】ファイル本体２と、このファイル本体２に設けたポケット部材４とを具備する。このポケット部材４は、被取付面３に対して立ち上り可能な隣接する複数の立ち上り面７を有する。また、これら複数の立ち上り面７の隣接する辺を接続した各立ち上り面７の被取付面３とは反対側の先端辺にてポケット部材４の開口部を形成する。ポケット部材４は、複数の立ち上り面７が被取付面３と離間する方向へ立ち上り、開口部を開口した開口状態から、複数の立ち上り面７が被取付面３に略平行であり、開口部を閉塞した閉塞状態へ変形できる。そして、ポケット部材４の閉塞状態を保持するフック部材１５およびループ部材１６を設ける。【選択図】図１
2010119824.tif 000002
【特許請求の範囲】
【請求項１】
ファイル本体と、
このファイル本体に設けられたポケット部材とを具備し、
このポケット部材は、前記ファイル本体に設けられた被取付面に対して立ち上り可能な隣接する複数の立ち上り面を有し、これら複数の立ち上り面の隣接する辺が接続されてポケット空間が構成され、各立ち上り面の前記被取付面とは反対側の先端辺によって開口部が構成され、
前記ポケット部材は、各立ち上り面が前記被取付面から離間する方向へ立ち上り前記開口部が開口した開口状態から、前記各立ち上り面が前記被取付面に略平行であり前記開口部が閉塞した閉塞状態へ変化可能に構成され、
前記閉塞状態を保持する保持手段を備えた
ことを特徴とした収納ファイル。
【請求項２】
ファイル本体と、
このファイル本体に設けられたポケット部材とを具備し、
このポケット部材は、前記ファイル本体に設けられた被取付面に対して立ち上り可能な隣接する複数の立ち上り面を有し、これら複数の立ち上り面の隣接する辺が接続されてポケット空間が構成され、各立ち上り面の前記被取付面とは反対側の先端辺によって開口部が構成され、
前記ポケット部材は、各立ち上り面が前記被取付面から離間する方向へ立ち上り前記開口部が開口した開口状態から、前記各立ち上り面が前記被取付面に略平行であり前記開口部が閉塞した閉塞状態へ変化可能に構成され、
前記閉塞状態を保持する保持機構を備えた
ことを特徴とした収納ファイル。
【請求項３】
ファイル本体と、
このファイル本体に設けられたポケット部材とを具備し、
このポケット部材は、前記ファイル本体に設けられた被取付面に対して立ち上り可能な隣接する複数の立ち上り面を有し、これら複数の立ち上り面の隣接する辺が接続されてポケット空間が構成され、各立ち上り面の前記被取付面とは反対側の先端辺によって開口部が構成され、
前記ポケット部材は、各立ち上り面が前記被取付面から離間する方向へ立ち上り前記開口部が開口した開口状態から、前記各立ち上り面が前記被取付面に略平行であり前記開口部が閉塞した閉塞状態へ変化可能に構成され、
前記複数の立ち上り面のいずれかには、係合部材が設けられ、前記ポケット部材の閉塞状態において前記係合部材に対向する位置には、前記係合部材と係合可能な被係合部材が設けられた
ことを特徴とした収納ファイル。
【請求項４】
ポケット部材は、四つの立ち上り面と、四角形状の被取付面とを有している
ことを特徴とした請求項１ないし３のいずれか記載の収納ファイル。
【請求項５】
相互に対向する二つの立ち上り面の少なくとも一組は、外側面に対して谷折りになるように形成された複数の折畳線が設けられている
ことを特徴とした請求項１ないし４のいずれか記載の収納ファイル。
【請求項６】
相互に対向する二つの立ち上り面の少なくとも一組は、前記被取付面とは反対側の先端辺が前記被取付面とは反対側へ向かって凸状に形成されている
ことを特徴とする請求項１ないし５のいずれか記載の収納ファイル。
【請求項７】
立ち上り面は、被取付面に対して直角な状態または前記被取付面に対して直角より前記被取付面側に傾斜した状態と、前記被取付面に略平行な状態との間で変化可能に構成されている
ことを特徴とする請求項１ないし６のいずれか記載の収納ファイル。
【請求項８】
ファイル本体は、複数の基盤部材と、これら複数の基盤部材の間に設けられた折曲線とを有し、
前記基盤部材は、前記ファイル本体を前記折曲線にて折曲し前記基盤部材にて保持して起立させた状態で屈曲しない硬さを有している
ことを特徴とする請求項１ないし７のいずれか記載の収納ファイル。
【請求項９】
ファイル本体は、少なくとも三つの基盤部材を有し、
この基盤部材には複数のポケット部材が設けられ、
隣接する二つの基盤部材のポケット部材側が内側になるように折曲されその二つの基盤部材の外側面にて表表紙および裏表紙が形成され、この二つの基盤部材の内側へ他の基盤部材が収納されるように折曲可能である
ことを特徴とした請求項１ないし８のいずれか記載の収納ファイル。
【請求項１０】
ファイル本体は、少なくとも三つの基盤部材を有し、
少なくとも一つの基盤部材には少なくとも一つのポケット部材が設けられ、
前記全ての基盤部材を開いた状態において、前記ポケット部材が設けられた基盤部材におけるポケット部材側が内側とされ、
前記ポケット部材が設けられた基盤部材と、この基盤部材に隣接する他の一つの基盤部材とがそれぞれ内側が対向するように折曲されその二つの基盤部材の外側面にて表表紙および裏表紙が形成され、この二つの基盤部材の内側へ他の基盤部材が収納されるように折曲可能である
ことを特徴とした請求項１ないし８のいずれか記載の収納ファイル。
【請求項１１】
ポケット部材は、ファイル本体に対して着脱可能に取り付けられている
ことを特徴とする請求項１ないし１０のいずれか記載の収納ファイル。
【請求項１２】
係合部材と被係合部材とは、複数の係合位置で係合可能に構成されている
ことを特徴とする請求項３ないし１１のいずれか記載の収納ファイル。
【発明の詳細な説明】
【技術分野】
【０００１】
本発明は、例えば部品、工具、鍵、アクセサリ、薬等の被収納物を収納する収納ファイルに関する。
【背景技術】
【０００２】
従来、収納ファイルを用いて複数の被収納物を整理して収納することがある。収納ファイルには、ファイル本体にポケット部材が設けられる構成のものやポケット部材が設けられたファイル用シートをファイル本体に係合して使用する構成のものがある。
【０００３】
そして、いずれの構成でもポケット部材に被収納物を収納するが、このような収納ファイルは、前記被収納物として書類やカード等のシート状のものが想定されているものが多く、被収納物としてシート状のものに比べて厚さや重量の大きい例えば、ボルトやナット、ねじ等の付属部品、六角レンチやスパナ等の付属工具、鍵やアクセサリ等の小物品を収納すると、前記収納ファイルを使用する際や持ち運ぶ際等に、その振動等にて被収納物が前記ポケット部材から脱落し易い。
【０００４】
そこで、ファイル用シート本体と、このシート本体に設けられ開口部を有するポケット部材と、このポケット部材の前記開口部を覆う蓋体とを備え、この蓋体に係合スリットが形成され、前記ポケット部材の外側面に前記係合スリットと係合可能な係合片が形成された構成のものが知られている。この構成では、係合片を係合スリットに係合することにより、蓋体が開口部を覆った状態を保持できるので被収納物が脱落し難い(例えば、特許文献１参照。)。
【先行技術文献】
【特許文献】
【０００５】
【特許文献１】意匠登録第１２０３７７３号公報(第２−７頁)
【発明の概要】
【発明が解決しようとする課題】
【０００６】
しかしながら、上述した特許文献１に開示された構成では、前記被収納物を前記ポケット部材へ出し入れし難いという問題が考えられる。通常、前記ポケット部材における前記開口部を形成する開口縁部は、前記ファイル用シート本体に略接している。このようなポケット部材に前記被収納物を出し入れする際には、前記開口縁部を前記ファイル用シート本体から離間させる必要がある。すなわち、前記蓋体における前記係合スリットと前記係合片との係合を解除するだけでなく、前記開口部を開口させる必要がある。そして、前記開口部を開口させるには、前記蓋体の開口状態を保持しながら、前記開口縁部を摘み、摘んだ状態にて前記開口縁部を前記ファイル用シート本体から引き離すという作業が想定される。しかし、一般的にこの種のファイルは、例えばポリ塩化ビニルや紙などの薄い素材で構成される場合が多く、このような薄い素材では、前記蓋体の開口状態を保持しながら前記開口縁部を摘み難い。したがって、前記被収納物を前記ポケット部材へ出し入れし難くなってしまう。
【０００７】
また、特許文献１に開示された構成では、例えばファイルをデスク等に配置できず前記ファイル用シート本体を水平な状態に保持できない場合、前記ポケット部材から被収納物を取り出す際に、前記ポケット部材における前記開口部の開口方向が重力方向に対して上側を向いた状態にて前記開口部を開口しなければ、前記被収納物が自重によって前記開口部から脱落してしまうおそれがある。すなわち、特許文献１に開示された構成では、前記係合片と前記係合スリットとが係合することにより、前記蓋体にて被収納物を保持して前記ポケット部材からの前記被収納物の脱落を防止できるが、前記蓋体が前記ポケット部材より重力方向下側に位置した状態にて前記係合片と前記係合スリットとの係合を解除すると、前記ポケット部材における前記開口部の相対位置が重力方向下側になり、開口方向が重力方向下向きになるため、前記被収納物は、自重により勝手に脱落し易い。したがって、前記ファイル用シート本体を水平な状態に保持できない場合にて前記蓋体を開閉する際には、前記ポケット部材における前記開口部の開口方向を確認し、前記蓋体を前記ポケット部材より重力方向の上側に位置した状態にて、前記開口部の開口方向を上方に向けて前記蓋体を開口する必要がある。
【０００８】
さらに、特許文献１に開示された構成では、前記蓋体を開口した状態での前記ポケット部材に対する前記開口部の開口面積が小さいので、前記被収納物を出し入れする場合は、前記ファイル用シート本体と前記ポケット部材とを変形させて前記開口縁部とこの開口縁部に対向する前記ファイル用シート本体とを離間させる必要がある。特に、前記開口縁とこの開口縁に対向する前記ファイル用シート本体とで円形を構成するように離間させると、前記開口部の開口面積が最も大きくなり被収納物が出し入れし易い状態となる。しかし、実際には、特許文献１の使用状態を示す参考図に示されるように、例えばコンパクトディスク等のある程度の硬さがありかつ前記ポケット部材と同等の大きさの被収納物が収納される場合や、被収納物が外力にて変形しないように前記ファイル用シート本体に変形し難い硬さを要求される場合等が想定される。これらのような場合では、前記ファイル用シート本体と前記ポケット部材とを変形させて前記開口縁部とこの開口縁部に対向する前記ファイル用シート本体とを離間させ難い。したがって、前記ポケット部に対する前記開口部の開口面積を大きく開口できず、前記被収納物が前記ポケット部材に出し入れし難くなってしまう。
【０００９】
本発明は、被収納物の出し入れが容易にでき、また、ポケット部材から被収納物が脱落し難い収納ファイルを提供することを目的とする。
【課題を解決するための手段】
【００１０】
（１）本発明に係る収納ファイルは、ファイル本体と、このファイル本体に設けられたポケット部材とを具備し、このポケット部材は、前記ファイル本体に設けられた被取付面に対して立ち上り可能な隣接する複数の立ち上り面を有し、これら複数の立ち上り面の隣接する辺が接続されてポケット空間が構成され、各立ち上り面の前記被取付面とは反対側の先端辺によって開口部が構成され、前記ポケット部材は、各立ち上り面が前記被取付面から離間する方向へ立ち上り前記開口部が開口した開口状態から、前記各立ち上り面が前記被取付面に略平行であり前記開口部が閉塞した閉塞状態へ変化可能に構成され、前記閉塞状態を保持する保持手段を備えたものである。
【００１１】
（２）本発明に係る収納ファイルは、ファイル本体と、このファイル本体に設けられたポケット部材とを具備し、このポケット部材は、前記ファイル本体に設けられた被取付面に対して立ち上り可能な隣接する複数の立ち上り面を有し、これら複数の立ち上り面の隣接する辺が接続されてポケット空間が構成され、各立ち上り面の前記被取付面とは反対側の先端辺によって開口部が構成され、前記ポケット部材は、各立ち上り面が前記被取付面から離間する方向へ立ち上り前記開口部が開口した開口状態から、前記各立ち上り面が前記被取付面に略平行であり前記開口部が閉塞した閉塞状態へ変化可能に構成され、前記閉塞状態を保持する保持機構を備えたものである。
【００１２】
（３）本発明に係る収納ファイルは、ファイル本体と、このファイル本体に設けられたポケット部材とを具備し、このポケット部材は、前記ファイル本体に設けられた被取付面に対して立ち上り可能な隣接する複数の立ち上り面を有し、これら複数の立ち上り面の隣接する辺が接続されてポケット空間が構成され、各立ち上り面の前記被取付面とは反対側の先端辺によって開口部が構成され、前記ポケット部材は、各立ち上り面が前記被取付面から離間する方向へ立ち上り前記開口部が開口した開口状態から、前記各立ち上り面が前記被取付面に略平行であり前記開口部が閉塞した閉塞状態へ変化可能に構成され、前記複数の立ち上り面のいずれかには、係合部材が設けられ、前記ポケット部材の閉塞状態において前記係合部材に対向する位置には、前記係合部材と係合可能な被係合部材が設けられたものである。
【００１３】
前記被係合部材は、閉塞状態において前記係合部材と対向する位置に設けられるものであり、前記係合部材が設けられた立ち上り面とは異なる立ち上り面や前記被取付面や前記ファイル本体等に設けられる。
【００１４】
なお、上記（１）ないし上記（３）では、前記被取付面は、その一部または全部が前記ファイル本体と一体的な構成でもよく、前記ファイル本体とは別体の前記被取付面を前記ファイル本体に取り付けた構成でもよい。
【００１５】
また、前記複数の立ち上り面の隣接する辺が結合されて接続されることにより前記ポケット空間が構成されたものだけでなく、例えばシートを折曲して一体的な複数の立ち上り面にて前記ポケット空間が構成され、その折曲した部分が前記複数の立ち上り面の隣接する辺とされたもの等を含む。
【００１６】
（４）上記収納ファイルを、ポケット部材は、四つの立ち上り面と、四角形状の被取付面とを有するように構成してもよい。
【００１７】
（５）上記収納ファイルを、相互に対向する二つの立ち上り面の少なくとも一組は、外側面に対して谷折りになるように形成された複数の折畳線が設けられているように構成してもよい。
【００１８】
（６）上記収納ファイルを、相互に対向する二つの立ち上り面の少なくとも一組は、被取付面とは反対側の先端辺が前記被取付面とは反対側へ向かって凸状に形成されているように構成してもよい。
【００１９】
（７）上記収納ファイルを、立ち上り面は、被取付面に対して直角な状態または前記被取付面に対して直角より前記被取付面側に傾斜した状態と、前記被取付面に略平行な状態との間で変化可能に構成してもよい。
【００２０】
（８）上記収納ファイルを、ファイル本体は、複数の基盤部材と、これら複数の基盤部材の間に設けられた折曲線とを有し、前記基盤部材は、前記ファイル本体を前記折曲線にて折曲し前記基盤部材にて保持して起立させた状態で屈曲しない硬さを有しているように構成してもよい。
【００２１】
（９）上記収納ファイルを、ファイル本体は、少なくとも三つの基盤部材を有し、この基盤部材には複数のポケット部材が設けられ、隣接する二つの基盤部材のポケット部材側が内側になるように折曲されその二つの基盤部材の外側面にて表表紙および裏表紙が形成され、この二つの基盤部材の内側へ他の基盤部材が収納されるように折曲可能に構成してもよい。
【００２２】
（１０）ファイル本体は、少なくとも三つの基盤部材を有し、少なくとも一つの基盤部材には少なくとも一つのポケット部材が設けられ、前記全ての基盤部材を開いた状態において、前記ポケット部材が設けられた基盤部材におけるポケット部材側が内側とされ、前記ポケット部材が設けられた基盤部材と、この基盤部材に隣接する他の一つの基盤部材とがそれぞれ内側が対向するように折曲されその二つの基盤部材の外側面にて表表紙および裏表紙が形成され、この二つの基盤部材の内側へ他の基盤部材が収納されるように折曲可能に構成してもよい。
【００２３】
（１１）上記収納ファイルを、ポケット部材は、ファイル本体に対して着脱可能に取り付けられるように構成してもよい。
【００２４】
（１２）上記収納ファイルを、係合部材と被係合部材とは、複数の係合位置で係合可能に構成してもよい。
【発明の効果】
【００２５】
上記（１）の構成によれば、ポケット部材は、被取付面に対して立ち上り可能な隣接する複数の立ち上り面を有し、これら複数の立ち上り面の隣接する辺が結合されてポケット空間が構成され、各立ち上り面の前記ファイル本体の被取付面とは反対側の先端辺によって開口部が構成されることにより、従来のものに比べて前記ポケット部材に対する前記開口部の開口面積を大きくでき、前記被取付面と前記開口部とが離間した状態で前記開口部を開口できるので、被収納物の出し入れを容易にできる。前記ファイル本体の正面側から被収納物の出し入れを行うこともできる。
【００２６】
また、前記複数の立ち上り面の先端辺にて形成された前記開口部は、前記各立ち上り面を前記被取付面に対して立ち上ることにより開口するので、前記ファイル本体を水平に保持できない状態にて前記開口部を開口した場合に、前記ファイル本体の向きや方向により前記開口部が重力方向下側に向くことが従来のものに比べて少なく、前記ポケット部材から前記被収納物が脱落し難い。したがって、前記ファイル本体を水平に保持できない場合であっても使用でき、使用状態、使用可能場所、使用可能シーンが極めて多様である。
【００２７】
前記ポケット部材は、各立ち上り面が前記被取付面から離間する方向へ立ち上り前記開口部が開口した開口状態から、前記各立ち上り面が前記被取付面に略平行であり前記開口部が閉塞した閉塞状態へ変化可能に構成されていることにより、全ての立ち上り面を被取付面から立ち上げることができ、前記ポケット部材に対する前記開口部の開口面積を大きく開口できるので、被収納物の出し入れを極めて容易にできる。
【００２８】
また、前記複数の立ち上り面は隣接する辺が接続されることにより、複数の立ち上り面が連動して前記被取付面から離間する方向へ立ち上り、前記ポケット部材を閉塞状態から開口状態へ連続的に一体の動きとして変化できるので、前記被収納物の出し入れをより容易にできる。
【００２９】
保持手段を備えているため、ポケット空間に収納された被収納物を確実に保持できる。
【００３０】
このように、上記（１）の構成によれば、前記被収納物の出し入れが容易にでき、また、前記ポケット部材から前記被収納物が脱落し難い収納ファイルを提供することができる。
【００３１】
上記（２）の構成によれば、上記（１）と同等の作用・効果を奏する。
【００３２】
上記（３）の構成によれば、上記（１），（２）の構成に係る作用・効果と同等の作用・効果を奏するだけでなく、さらに、以下の作用・効果を奏する。すなわち、複数の立ち上り面の隣接する辺が接続されて、これら接合された複数の立ち上り面のいずれか一つには係合部材が設けられ、前記ポケット部材の閉塞状態にて前記係合部材と対向する位置には被係合部材設けられていることにより、前記複数の立ち上り面は連動して被取付面から離間する方向へ立ち上り、前記係合部材と前記被係合部材との係合の解除作業から一連して前記ポケット部材を閉塞状態から開口状態へ変化できるので、前記被収納物の出し入れをより容易にできる。
【００３３】
上記（４）に記載された発明によれば、ポケット部材は、四つの立ち上り面と、四角形状の被取付面を有していることにより、ポケット空間を確保し易く、被収納物の出し入れが容易にできる。
【００３４】
上記（５）に記載された発明によれば、相互に対向する二つの立ち上り面には、複数の折畳線が設けられ、前記複数の折曲線は、前記立ち上り面の外側面に対して谷折りになるように形成されていることにより、ポケット部材を開口状態と閉塞状態とに変化し易い。
【００３５】
上記（６）に記載された発明によれば、相互に対向する二つの立ち上り面の先端辺が、前記ファイル本体の被取付部とは反対側へ向かって凸状に形成されていることにより、前記二つの立ち上り面の先端辺が接近し易いので、閉塞状態において前記先端辺が接近した前記二つの立ち上り面によって被収納物を保持でき、被収納物がより脱落し難い。
【００３６】
上記（７）に記載された発明によれば、立ち上り面が、被取付面に対して直角な状態または前記被取付面に対して直角より前記被取付面側に傾斜した状態と、前記被取付面に略平行な状態との間で変化可能に構成されていることにより、開口状態においてより確実に前記立ち上り面にて被収納物を前記ポケット部材の内部に保持できるので、前記被収納物が前記ポケット部材から脱落し難い。
【００３７】
上記（８）に記載された発明によれば、基盤部材は、ファイル本体を起立させた状態で前記基盤部材が屈曲しない硬さを有しているので、前記ファイル本体を起立させて使用でき、汎用性を向上できる。すなわち、従来の構成では想定し得なかった使用場所、使用方法を提供できる。
【００３８】
上記（９）に記載された発明によれば、ポケット部材側が内側になるように折曲された隣接する二つの基盤部材の内側へ他の基盤部材が収納されるように折曲可能であるので、コンパクトな状態で収納できる。また、前記ファイル本体を展開した際に各ポケット部材を一覧できる。
【００３９】
上記（１０）に記載された発明によれば、上記（８）と同等の作用・効果を奏する。
【００４０】
上記（１１）に記載された発明によれば、ポケット部材は、ファイル本体に対して着脱可能に取り付けられていることにより、前記ポケット部材を前記ファイル本体から取外して使用できるので、汎用性を向上できる。
【００４１】
上記（１２）に記載された発明によれば、係合部材と被係合部材とが、複数の係合位置で係合可能に構成されていることにより、係合位置によってポケット部材の収納量を調整できるので、閉塞状態の前記ポケット部材をより適切な状態に保持できる。
【図面の簡単な説明】
【００４２】
【図１】本発明の収納ファイルにおける一実施の形態を示す平面図である。
【図２】同上収納ファイルにおけるポケット部材の開口状態を示す斜視図である。
【図３】同上収納ファイルにおける立ち上り面の形状を示す断面図である。
【図４】(ａ)ないし(ｃ)は、同上収納ファイルの折畳み方法を示す平面図である。
【図５】本発明の収納ファイルにおける他の実施の形態を示す平面図である。
【発明を実施するための形態】
【００４３】
以下、本発明の一実施の形態の構成について図１ないし図４を参照しながら詳細に説明する。
【００４４】
図１に示されるように、収納ファイル１は、ファイル本体２と、このファイル本体２に設けられ、例えば、ボルトやナット、ねじ等の付属部品、六角レンチやスパナ等の付属工具、鍵やアクセサリ等の小物品等の被収納物を収納する複数のポケット部材４とを備えている。
【００４５】
ファイル本体２は、複数、例えば三つの略矩形状の基盤部材５と、これらの基盤部材５の間に設けられた複数、例えば二つの折曲線６とを有している。
【００４６】
また、基盤部材５は、例えば合成樹脂や厚紙などにて形成され、ファイル本体２を折曲線６にて折曲し、基盤部材５にて保持して起立させた状態で、屈曲しない硬さを有している。すなわち、ファイル本体２を少なくとも一つの折曲線６にて折曲した状態にて、図示しない例えばデスク等の水平台上に折曲線６が鉛直になるように収納ファイル１を配置させると、水平台と接するファイル本体２の端部は、少なくとも２方向に延びることになり、収納ファイル１を自立して起立させることができる。
【００４７】
ポケット部材４は、ファイル本体２に取り付けられた四角形状の被取付面３に対して立ち上り可能な隣接する複数、例えば四つの立ち上り面７にて形成されている。
【００４８】
これらの各立ち上り面７の隣接する辺には結合部９が形成され、この結合部９が例えば溶着などにより結合され、複数の立ち上り面７の隣接する辺が接続されてポケット空間が構成されている。
【００４９】
また、このポケット空間では、結合部９が結合された各立ち上り面７の被取付面３とは反対側の先端辺にて開口部１０が構成されている。
【００５０】
さらに、図２に示されるように、ポケット部材４の被取付面３には取付部１１が形成され、この取付部１１がファイル本体２に例えば溶着などにより固着して取り付けられている。
【００５１】
なお、ポケット部材４をファイル本体２に固着せず、例えば面ファスナやボタン等にてファイル本体２に取り付け、ポケット部材４がファイル本体２に対して着脱可能に取り付けられた構成としてもよい。
【００５２】
ポケット部材４は、各立ち上り面７が被取付面３から離間する方向へ立ち上り開口部１０が開口した図２のような開口状態から、各立ち上り面７がファイル本体２の被取付面３側へ折曲されて被取付面３に略平行であり開口部１０が閉塞した図１のような閉塞状態へ変化可能に構成されている。
【００５３】
ここで、各立ち上り面７は、被取付面３に対して略直角な状態または被取付面３に対して直角より被取付面３側に傾斜した状態と、被取付面３に略平行な状態との間で変化可能である。
【００５４】
さらに、複数の立ち上り面７には、ポケット部材４の閉塞状態を保持する保持機構である係合手段としての面ファスナ１４が設けられており、複数の立ち上り面のうちのひとつである立ち上り面７ａには、面ファスナ１４を構成する係合部材としてのフック部材１５が設けられ、立ち上り面７ａに対向する立ち上り面７ｂには、ポケット部材４の閉塞状態において、フック部材１５と対向する位置にフック部材１５と係合可能であり面ファスナ１４を構成する被係合部材としてのループ部材１６が設けられている。なお、フック部材１５とループ部材１６とが係合することによりポケット部材４の閉塞状態が保持できる。
【００５５】
また、フック部材１５は略円形状に形成され、ループ部材１６は楕円形状に形成されている。このように、フック部材１５またはループ部材１６の少なくともいずれか一方を楕円形状のような長手方向を有する形状に形成されることにより、フック部材１５とループ部材１６とが複数の係合位置にて係合可能に構成される。そして、複数の係合位置にて係合可能に構成されることにより、面ファスナ１４の係合位置によってポケット部材４の収納量を調整できるので好ましい。
【００５６】
立ち上り面７ａは、先端辺が他の立ち上り面７の先端辺より延出し、この延出部分にて蓋部１７が形成されている。このように蓋部１７が形成されることにより、開口部１０を蓋部１７によって覆うように閉塞できるので好ましい。
【００５７】
さらに、蓋部１７にフック部材１５を設け、他の立ち上り面７にループ部材１６を設けることにより、フック部材１５とループ部材１６との係脱操作が容易にでき、また、閉塞状態をより確実に維持できるので好ましい。
【００５８】
ポケット部材４は、例えば合成樹脂などにより形成され、さらに、透明な合成樹脂にて形成されると、ポケット部材４内の被収納物をポケット部材４の外部から透視して確認できるので好ましい。
【００５９】
ここで、ポケット部材４は、図３に示されるように、このフック部材１５が設けられた立ち上り面７ａに隣接して互いに対向する二つの立ち上り面７ｃ，７ｃは、被取付面３とは反対側の先端辺が、被取付面３とは反対側へ向かって凸状に形成されている。
【００６０】
なお、図３に示すように、立ち上り面７は全域にわたって均一である必要はない。例えば、係合部材としてのフック部材１５が設けられた立ち上り面７ａは、被取付面３側が一枚のシートで構成され、この部分よりフック部材１５側は、二枚のシートが重ねられている。したがって、上記のとおり、透明な合成樹脂にて構成されている本実施の形態に係る立ち上り面７ａは、図２からも明らかなようにフック部材１５側の二枚のシートが重ねられた領域と、被取付面３側の一枚構成の領域との境界部分近傍で折れ曲がり易く構成されている。すなわち、立ち上り面７が一枚構成である必要はなく、例えばフック部材１５側を
被取付面３側と別体のシート体を接合する等して組み合わせて構成することも当然可能である。このような構成は、立ち上り面７ａ以外の立ち上り面７ｂ，７ｃについても当然適用可能である。
【００６１】
さらに、この先端辺が凸状に形成された立ち上り面７ｃ，７ｃには、図２および図３に示すように二つの折畳線１８が設けられ、折畳線１８にて立ち上り面７ｃ，７ｃが折畳まれてポケット部材４が閉塞状態となる。
【００６２】
折畳線１８は、図２に示すように立ち上り面７ａ，７ｃの隣接する辺および立ち上り面７ｂ，７ｃの隣接する辺の下端部から立ち上り面７ｃの被取付面３とは反対側の先端辺へわたって被取付面３に対して傾斜状にのび、図３に示すように立ち上り面７ｃの外側面に対して谷折りになるように形成されている。
【００６３】
図２に示すように、立ち上り面７ｃは、立ち上り面７ａ，７ｃの隣接する辺および立ち上り面７ｂ，７ｃの隣接する辺が山折りに折曲され、二つの折畳線１８，１８が谷折りに折曲される。このように折曲されることにより、立ち上り面７ｃ，７ｃは、二つの折畳線１８，１８の間の部分がポケット部材４の内側へ折り込まれ、立ち上り面７ａ，７ｃの隣接する辺および立ち上り面７ｂ，７ｃの隣接する辺が立ち上り面７ｃの外側面に重なるように折畳まれ、ポケット部材４が閉塞状態になる。
【００６４】
ポケット部材４は、閉塞状態では、対向する立ち上り面７ｃ，７ｃの凸状の先端辺同士が略接する状態または重なる状態となる。
【００６５】
収納ファイル１は、図４(ａ)に示されるように、各基盤部材５ａ，５ｂ，５ｃには、複数のポケット部材４が並列して設けられ、各基盤部材５ａ，５ｂ，５ｃのポケット部材４側が同じ方向を向くように形成されている。
【００６６】
収納ファイル１を収納する際には、まず、図４(ｂ)に示されるように、ファイル本体２を折曲線６ａ，６ｂにて隣接する二つの基盤部材５ａ，５ｂのポケット部材４側が内側となるように折曲する。
【００６７】
このようにファイル本体２が折曲され、ポケット部材４側が対向する二つの基盤部材５ａ，５ｂの外側面にて、収納ファイル１を収納する際の表表紙および裏表紙が形成される。
【００６８】
さらに、図４(ｃ)に示されるように、ファイル本体２は、外側面が表表紙および裏表紙となる二つの基盤部材５ａ，５ｂとは異なる他の基盤部材５ｃが、二つの基盤部材５ａ，５ｂの内側へ収納されるように折曲線６ｃ，６ｄにて折曲され、各基盤部材５ａ，５ｂ，５ｃを巻き取るように折曲線６にて折曲される。
【００６９】
そして、コンパクトな状態で収納される。
【００７０】
なお、上記の実施の形態では、ポケット部材４をファイル本体２に取り付ける構成としたが、このような構成には限定されず、ファイル本体２と一体的にポケット部材４が設けられた構成でもよい。また、ファイル本体２とポケット部材４とが別体の場合は、被取付面３がファイル本体２に取り付けられた構成には限定されず、被取付面３の一部または全部がファイル本体２と一体的な構成等でもよい。
【００７１】
さらに、例えば、図５に示されるように、ファイル用シート１９の基盤部材２０にポケット部材４を設け、さらに、このファイル用シート１９は、端部に係合孔２１を有し、従来のファイル等の係合部に係合孔２１を係合して使用する構成としてもよい。
【００７２】
また、ファイル本体２を三つの基盤部材５にて形成する構成としたが、このような構成には限定されず、基盤部材５の数は適宜設定できる。
【００７３】
さらに、略矩形状の基盤部材５としたが、基盤部材５の形状は、矩形状に限定されず、適宜設定できる。
【００７４】
また、複数の基盤部材５の間に二つの折曲線６を有する構成としたが、このような構成とすることにより、収納ファイル１を収納する際にポケット部材４の厚みに対応でき、さらに、基盤部材５を巻くようにコンパクトに収納する際に形状が安定し易いので好ましいが、このような構成には限定されず、例えば、三つ以上の折曲線６を設け、ポケット部材４の収納量に応じて折曲する折曲線６を選択できる構成や、折曲線６を一つだけ設けるシンプルな構成等としてもよい。
【００７５】
さらに、基盤部材５は、ファイル本体２を起立させた状態で屈曲しない硬さを有する材料にて形成する構成には限定されず、基盤部材５を形成する材料は、コストや製品の強度、用途等を想定して適宜設定できる。
【００７６】
ポケット部材４は、四つの立ち上り面７にて形成され、被取付面３が四角形状の構成としたが、このような構成には限定されず、立ち上り面７の数は適宜設定でき、被取付面３の形状は、例えば三角形状や円形状等で適宜設定でき、各ポケット部材４の形状が異なっていてもよい。
【００７７】
また、ポケット部材４の大きさおよび数は適宜設定でき、例えば、各基盤部材５に設けられるポケット部材４の数が異なっていてもよく、さらに各ポケット部材４の大きさが異なっていてもよい。
【００７８】
さらに、複数の立ち上り面７の隣接する辺に結合部９が形成され、この結合部９を結合してポケット空間が形成された構成には限定されず、例えば一枚のシートを折曲して一体的に接続した複数の立ち上り面７にてポケット空間が形成された構成等であってもよい。また、このような構成では、シートの折曲された部分が、複数の立ち上り面７の隣接する辺とされる。
【００７９】
さらに、立ち上り面７が、被取付面３に対して略直角な状態または被取付面３に対して直角より被取付面３側に傾斜した状態と、被取付面３に略平行な状態との間で変化可能に構成されることにより、ポケット部材４が開口状態であっても開口部１０の向きが重力方向下向き以外であれば、ポケット部材４内の被収納物がポケット部材４から脱落し難いので好ましいが、このような構成には限定されず、ポケット部材４が、各立ち上り面７が被取付面３から離間する方向へ立ち上った開口状態から、各立ち上り面７がファイル本体２の被取付面３側へ折曲されて被取付面３に略平行な閉塞状態に変化可能であればよい。
【００８０】
係合部材としてのフック部材１５を設け、被係合部材としてのループ部材１６を設けた構成としたが、このような構成には限定されず、係合部材および被係合部材は、ポケット部材４の閉塞状態を保持できるものであれば、例えば、係合片と係合孔とを設けて係合片を係合孔に係合する構成や、ボタン型の係合部材を設ける構成等でもよい。
【００８１】
すなわち、閉塞状態を保持できればどのような保持手段であってもよいが、上記のように収納量を調整可能な構成は、収納量に応じて閉塞状態のポケット部材４を適切な状態にする（被収納物以外の空間を少なくする等）ことができるため好ましい。
【００８２】
また、ループ部材１６は、ポケット部材４の閉塞状態において、フック部材１５が設けられた立ち上り面７とは異なる立ち上り面７のフック部材１５と対向する位置に設けられる構成には限定されず、フック部材１５と対向する位置であれば、例えばファイル本体２や被取付面３等に設けられてもよい。
【００８３】
さらに、ループ部材１６が複数の立ち上り面７のいずれかに設けられ、例えば他の立ち上り面７、ファイル本体２、被取付面３等のフック部材１５が閉塞状態にてループ部材１６と対向する位置に設けられてもよい。
【００８４】
また、フック部材１５とループ部材１６とが複数の係合位置にて係合可能に構成されることには限定されず、複数の係合位置にて係合できない構成でもよい。なお、複数の係合位置にて係合可能な構成とする場合は、フック部材１５またはループ部材１６の少なくともいずれか一方が長手方向を有する形状に形成されることに限定されず、例えば、面ファスナ１４のフック部材１５またはループ部材１６を複数設ける構成等でもよい。
【００８５】
さらに、フック部材１５が設けられた立ち上り面７ａに隣接する対向する二つの立ち上り面７ｃ，７ｃの先端辺を凸状に形成する構成とすることにより、対向する先端辺が接近し易く、ポケット部材４内の被収納物が脱落し難いので好ましいが、このような構成には限定されず、対向する二つの立ち上り面７ｃ，７ｃの先端辺が凸状でない構成でもよい。また、対向する二つの立ち上り面７ｃ，７ｃの先端辺を凸状に形成する場合は、ポケット部材４の閉塞状態にて凸状の先端辺同士が略接するまたは重なる構成には限定されず、閉塞状態にて凸状の先端辺同士が接近すればよい。
【００８６】
なお、立ち上り面７ｃは、ポケット部材４が開口状態から閉塞状態へ変化可能であれば、折畳線１８が設けられた構成には限定されないのは当然である。立ち上り面７ｃに折畳線１８が設けられる場合は、折畳線１８が二つ設けられた構成には限定されず、折畳線１８の数は複数であればよい。
【００８７】
次に、上記一実施の形態の作用を説明する。
【００８８】
収納ファイル１への例えば、ボルトやナット、ねじ等の付属部品、六角レンチやスパナ等の付属工具、鍵やアクセサリ等の小物品等の被収納物の収納に際しては、まず、基盤部材５を巻き取るように折畳まれた状態の収納ファイル１のファイル本体２を展開する。
【００８９】
ポケット部材４のフック部材１５が設けられた立ち上り面７を引っ張るように、フック部材１５とループ部材１６との係合を解除し、フック部材１５が設けられた立ち上り面７をそのまま引っ張るようにしてポケット部材４を開口状態にする。
【００９０】
開口状態のポケット部材４の開口部１０から被収納物をポケット部材４内へ収納する。
【００９１】
ポケット部材４に被収納物が収納された状態で、立ち上り面７を折曲しポケット部材４を閉塞状態にする。
【００９２】
ポケット部材４のフック部材１５とループ部材１６とを係合し、ポケット部材４の閉塞状態を保持する。
【００９３】
基盤部材５を巻くようにファイル本体２を折曲線６にて折曲し、コンパクトな状態で収納ずる。
【００９４】
被収納物が収納された収納ファイル１から被収納物を取り出す際には、まず、ファイル本体２を展開し、複数のポケット部材４を一覧できる状態にして、取り出したい被収納物を探す。
【００９５】
ポケット部材４のフック部材１５が設けられた立ち上り面７を引っ張るようにフック部材１５とループ部材１６との係合を解除し、フック部材１５が設けられた立ち上り面７をそのまま引っ張るようにしてポケット部材４を開口状態にする。
【００９６】
開口状態のポケット部材４から被収納物を取り出す。
【００９７】
開口状態のポケット部材４の立ち上り面７を折曲し、閉塞状態にして、フック部材１５とループ部材１６とを係合し、閉塞状態を保持する。
【００９８】
基盤部材５を巻くようにファイル本体２を折曲線６にて折曲し、収納ファイル１をコンパクトな状態にする。
【００９９】
そして、この収納ファイル１では、ポケット部材４は、被取付面３に対して立ち上り可能な隣接する複数の立ち上り面７を有し、これら複数の立ち上り面７の隣接する辺が結合部９にて結合されてポケット空間が構成され、各立ち上り面７のファイル本体２の被取付面３とは反対側の先端辺によって開口部１０が構成されることにより、従来のものに比べてポケット部材４に対する開口部１０の開口面積を大きくでき、被取付面３と開口部１０とが離間した状態で（特に、図２に明瞭に示されるように被取付面３に対する鉛直方向側のファイル本体２の正面側に）ポケット空間を開口できるので、被収納物の出し入れを容易にできる。
【０１００】
また、複数の立ち上り面７の先端辺にて形成された開口部１０は、各立ち上り面７が被取付面３に対して立ち上ることにより開口するので、ファイル本体２を水平に保持できない状態にて開口部１０を開口した場合であっても、開口部１０が重力方向下側に向きにくく、従来のポケット部材付きファイルと比べ立ち上り面７にて被収納物をポケット部材４の内部に保持でき、ポケット部材４から被収納物が脱落し難い。したがって、ファイル本体２を水平に保持できない場合であっても使用でき、使用状態、使用可能場所、使用可能シーンが極めて多様である。
【０１０１】
特に、収納ファイル１は、通常、例えばデスク等の水平台上に、ファイル本体２が略水平になるように置いて使用される場合や、ファイル本体２を水平台に対して略垂直に起立させた状態にて使用される場合が想定されるが、このような起立させた状態にて使用する場合では、ポケット部材４を開口状態にしても、被収納物は脱落し難い。したがって、収納ファイル１を起立させた状態にして使用する際に、ポケット部材４の開口部１０の開口方向を考慮する必要がない。
【０１０２】
さらに、ポケット部材４は、各立ち上り面７が被取付面３から離間する方向へ立ち上り開口部１０が開口した開口状態から、各立ち上り面７が被取付面３に略平行であり開口部１０が閉塞した閉塞状態へ変化可能に構成されていることにより、ポケット部材４に対する開口部１０の開口面積を大きく開口できるので、被収納物の出し入れを極めて容易にできる。
【０１０３】
また、複数の立ち上り面７は隣接する辺が結合され、これら結合された複数の立ち上り面７のうちの一つである立ち上り面７ａにはフック部材１５が設けられ、他の立ち上り面７ｂにはループ部材１６が設けられていることにより、立ち上り面７ａを立ち上ると、他の複数の立ち上り面７ｂ，７ｃ，７ｃが連動して被取付面３から離間する方向へ立ち上る。したがって、フック部材１５が設けられた立ち上り面７ａを引っ張ってフック部材１５とループ部材１６との係合を解除し、そのままのフック部材１５が設けられた立ち上り面７ａを引っ張ることにより、ポケット部材４を開口状態にでき、フック部材１５とループ部材１６との係合の解除作業から一連してポケット部材４を閉塞状態から開口状態へ変化できるので、被収納物の出し入れをより容易にできる。言い換えると、図２に明瞭に示されるように、立ち上り面７ａを立ち上らせると、この立ち上り面７ａに接続されている立ち上り面７ｃ，７ｃも立ち上り、さらに立ち上り面７ｃ，７ｃに接続されている立ち上り面７ｂも立ち上る。すなわち、立ち上り面７ａを連続的に移動させるだけで全ての立ち上り面７ｂ，７ｃ，７ｃが一体的に立ち上り、ポケット部材４が閉塞状態から開口状態となる。さらに、本実施の形態のような閉塞状態を保持する構成として保持手段である面ファスナ１４を採用すれば、閉塞状態を保持する保持状態を解除する作業から開口状態までが一連の作業で完了する。当然、ポケット部材４を開口状態から閉塞状態にする作業、さらには、保持状態にする作業も一連の作業（図３に示す立ち上り面７ａが被取付面３から離間して立ち上った状態から図１に示す立ち上り面７ａが被取付面３に略平行な状態にする作業であり、被取付面３に対する立ち上り面７ａの角度を変える作業）だけでよい。
【０１０４】
このように、収納ファイル１は、被収納物の出し入れが容易にでき、また、ポケット部材４が開口状態であっても被収納物が脱落し難いので、例えば工事現場やベッドの上等のデスク等の水平台がない場合であっても、使用でき、使用状態、使用可能箇所、使用可能シーン等が極めて多様である。
【０１０５】
図１ないし図５に示すように、ポケット部材４は、四つの立ち上り面７と、四角形状の被取付面３とを有していることにより、ポケット部材４のポケット空間を確保し易く、被収納物の出し入れが容易にできる。
【０１０６】
立ち上り面７ｃには、図２、図３に示すように二つの折畳線１８，１８が設けられ、これら二つの折畳線１８，１８は、立ち上り面７ｃの外側面に対して谷折りになるように形成されていることにより、上記のとおりポケット部材４を、開口状態と閉塞状態とに変化させる際に、立ち上り面７ｃ，７ｃを折畳み易く、ポケット部材を開口状態と閉塞状態とに変化し易い。さらに、折畳線１８，１８にて立ち上り面７ｃを折畳むことにより、立ち上り面７ａ，７ｂだけでなく、立ち上り面７ｃ，７ｃにてポケット部材４内の被収納物を保持できるので、ポケット部材４内の被収納物が脱落し難い。
【０１０７】
また、フック部材１５が設けられた立ち上り面７ａに隣接する対向する二つの立ち上り面７ｃ，７ｃの先端辺が、ファイル本体２の被取付部とは反対側へ向かって凸状に形成されていることにより、二つの立ち上り面７ｃ，７ｃの先端辺が接近し易いので、先端辺が接近した二つの立ち上り面７ｃ，７ｃによってポケット部材４内の被収納物を保持でき、被収納物がより脱落し難い。
【０１０８】
特に、ポケット部材４の閉塞状態では、二つの立ち上り面７ｃ，７ｃの凸状の先端辺が確実に接近するので、ポケット部材４を閉塞状態から開口状態へする際の被収納物の脱落を防止できる。さらに、ポケット部材４が閉塞状態で、二つの立ち上り面７ｃ，７ｃの凸状の先端辺が、略接する状態または重なる状態とすることにより、二つの立ち上り面７ｃ，７ｃにて被収納物を確実に保持できるので、被収納物の脱落をより確実に防止できる。
【０１０９】
立ち上り面７が、被取付面３に対して略直角な状態または被取付面３に対して直角より被取付面３側に傾斜した状態と、被取付面３に略平行な状態との間で変化可能に構成されていることにより、より確実に立ち上り面７にて被収納物をポケット部材４の内部に保持できるので、被収納物がポケット部材４から脱落し難い。例えば、収納ファイル１を起立させた状態にして使用する際等では、ポケット部材４が開口状態であっても、最も下側に位置する立ち上り面７が略水平な状態または立ち上り面７において先端辺が被取付面３側より上側に位置する状態となるので、立ち上り面７により被収納物を確実に保持でき、前記被収納物が自重によりポケット部材４から脱落し難い。なお、図３に示すように開口状態において折畳線１８，１８で折り曲げないと立ち上り面７ｃ，７ｃが被取付面３に対して略直角となる構成にした場合も、実際は、ポケット部材４を開口状態にしても図２に示すように、立ち上り面７ｃ，７ｃは折畳線１８，１８が若干折り曲げられた状態となるため、このような構成のポケット部材４における開口状態では、立ち上り面７の被取付面３に対する角度は、被取付面３に対して直角より被取付面３側に傾斜していると言い得る。すなわち、実際上において、立ち上り面７が被取付面３に対して略直角、好ましくは直角より被取付面３側に傾斜しているとよく、さらには、折畳線１８，１８を折り曲げない状態においても被取付面３に対して略直角または直角より被取付面３側に傾斜していれば、被収納物が脱落する可能性が従来のファイルと比べて極めて少ない（被収納物が脱落しない収納ファイル１の向き・角度が従来のファイルより多い・大きい）。
【０１１０】
基盤部材５は、ファイル本体２を起立させた状態で、基盤部材５が屈曲しない硬さを有しているので、ファイル本体２を起立させた状態で保持して使用でき、汎用性を向上できる。すなわち、ファイル本体２を起立させた状態において、ポケット部材４を開口状態にしても被収納物が脱落し難いので、従来の構成では想定し得なかった使用場所、使用方法を提供できる。
【０１１１】
ファイル本体２は、隣接する二つの基盤部材５ａ，５ｂのポケット部材４側が内側になるように折曲線６ａ，６ｂにて折曲され、その二つの基盤部材５ａ，５ｂの外側面にて表表紙および裏表紙が形成される。さらに、この二つの基盤部材５ａ，５ｂの内側へ他の基盤部材５ｃが収納されるように折曲線６ｃ，６ｄにて折曲可能であるので、コンパクトな状態で収納できる。また、ファイル本体２を展開した際に、各基盤部材５ａ，５ｂ，５ｃのポケット部材４側の面が並列した状態となるので、各ポケット部材４を一覧でき、必要な被収納物を検索し易い。なお、全ての基盤部材５ａ，５ｂ，５ｃにポケット部材４が設けられた構成に限定されないのは当然のことであり、想定される用途に応じてポケット部材４の数や大きさ等を設定できる。したがって、想定される用途によっては一つの基盤部材５に一つのポケット部材４が設けられ、他の基盤部材５には、ポケット部材４とは異なる要素が付加された構成に設計することも当然に可能である。
【０１１２】
ポケット部材４をファイル本体２に対して固着せず、例えば面ファスナやボタン等にて着脱可能に取り付ける構成を採用した場合、ポケット部材４をファイル本体２から取外して使用できるので、汎用性を向上できる。例えば、付属部品や付属工具を被収納物として収納する場合は、これらの被収納物を保管する際には、ポケット部材４をファイル本体２に装着した状態にする。そして、被収納物を使用する際は、使用する被収納物が収納されたポケット部材４をファイル本体２から取外し、使用する場所まで、ポケット部材４を持って行くことができ、複数種類の被収納物を使用する際にも被収納物を紛失し難い。
【０１１３】
フック部材１５またはループ部材１６の少なくともいずれかが長手方向を有する構成やフック部材１５またはループ部材１６を複数設ける構成等、フック部材１５とループ部材１６とが複数の係合位置にて係合可能に構成されていることにより、その係合位置によってポケット部材４の収納量を調整できる。そして、このように係合位置を調整できるので、例えば収納量に対して係合位置が不適切なこと等により、意図せず係合が解除されることを抑制でき、閉塞状態のポケット部材４をより適切な状態に保持できる。
【符号の説明】
【０１１４】
１    収納ファイル
２    ファイル本体
３    被取付面
４    ポケット部材
５    基盤部材
６    折曲線
７    立ち上り面
１０    開口部
１５    係合部材としてのフック部材
１６    被係合部材としてのループ部材
１８    折畳線
【図１】
2010119824.tif 000003
【図２】
2010119824.tif 000004
【図３】
2010119824.tif 000005
【図４】
2010119824.tif 000006
【図５】
2010119824.tif 000007